(57)【要約】【課題】撃退対象（野猿、カラスなどの迷惑動物）に傷を与えずに撃退する電撃ショックを与えたり、離れた位置からでも痴漢に電撃ショックを与えることができる携帯用電撃装置を提供する。【解決手段】噴射ノズル１１ａ，１１ｂを二本略平行に設けて二条の導電性液体Ａの噴射を行う水鉄砲部１と、前記二条の噴射液体間に高電圧を印加する電圧印加部２とを備え、撃退対象に対して噴射ノズルから導電性液体を噴射命中させて、撃退対象に電撃ショックを与える。【選択図】　　図２
2004073111.tif 000002
【特許請求の範囲】
【請求項１】
導電性液体の噴射を行う水鉄砲部と、噴射液体に所定の電圧を印加する電圧印加部とを備えてなることを特徴とする携帯用電撃装置。
【請求項２】
印加電圧を高電圧として鳥獣撃退用又は痴漢撃退用として使用する請求項１記載の携帯用電撃装置。
【請求項３】
水鉄砲部の噴射ノズルを二本略平行に設けて、前記二条の噴射液体間に高電圧を印加する請求項２記載の携帯用電撃装置。
【請求項４】
水鉄砲部の噴射方式を、直接加圧の手動ポンプまたは蓄圧タンクと開閉弁の組み合わせの何れかを採用すると共に、噴射動作時に電圧印加部がスイッチオン状態となるスイッチ部を設けてなる請求項１乃至３記載のいずれかの携帯用電撃装置。
【発明の詳細な説明】
【０００１】
【産業上の利用分野】
本発明は、農作物を荒らす野猿、鹿、カモシカや、市街地のゴミ置き場でゴミを食い散らかすカラスや野良猫等の迷惑鳥獣の撃退や、痴漢撃退のための電撃ショックを与えたり、更には植物や微生物に所定の電気刺激を与えるための携帯用電撃装置に関するものである。
【０００２】
【従来の技術及び発明が解決しようとする課題】
農作物を荒らす鳥獣の被害を防止する手段として、従前よりフェンスを設けたり、案山子を使用したり、爆竹をならす等の対策が採られている。
【０００３】
しかし猿が直接観光客の手元や、土産品の店頭から食物を奪い取る等の観光地での被害に対しては、前記の農作物防御対策をそのまま採用することはできない。
【０００４】
また痴漢の撃退用として電撃ショックを与えるスタンガンが知られている。しかしスタンガンは、直接撃退対象に接触させなければならなく、離れていると使用できない問題がある。
【０００５】
また繁殖刺激や繁殖抑制手段として微生物（カビ）や植物に対して、携帯可能で簡易に電気刺激を与える器具が市場に提供されていない。
【０００６】
そこで、猿に対して怪我などを負わせずに直接排除できる携帯用鳥獣撃退器具として使用できるし、また痴漢やストーカーに対して、直接器具を接触させることなく、ある程度離れた位置からでも電撃撃退可能な器具として使用でき、更には微生物や植物に対して簡単に電気刺激を与えることができる新規な携帯用電撃装置を提案したものである。
【０００７】
【課題を解決する手段】
本発明に係る携帯用電撃装置は、導電性液体の噴射を行う水鉄砲部と、噴射液体に所定の電圧を印加する電圧印加部とを備えてなることを特徴とするものである。
【０００８】
また本発明は、特に使用目的に応じて、印加電圧を高電圧として鳥獣撃退用や痴漢撃退用として使用することを特徴とするものである。
【０００９】
従って水鉄砲部によっての衝撃付与対象動物などに導電性液体を噴射することで、導電性液体で通電回路が構成され、対象物に電撃ショック又は電気的刺激を与えることになる。
【００１０】
また本発明は、前記携帯用電撃装置において、特に水鉄砲部の噴射ノズルを二本略平行に設けて、前記二条の噴射液体間に高電圧を印加してなることを特徴とするものである。
【００１１】
従って野猿などの撃退対象を発見した際に、撃退対象に対して噴射ノズルから導電性液体を二条噴射命中させると、撃退対象に電撃を与えることになり、撃退対象は電激ショックを受けて退散する。痴漢に対しても同様に使用できる。
【００１２】
また本発明は、直接加圧の手動ポンプまたは蓄圧タンクと開閉弁の組み合わせの何れかを採用すると共に、噴射動作時に電圧印加部がスイッチオン状態となるスイッチ部を設けてなることを特徴とするもので、装置の簡便化と、省エネ化が図られると共に、非使用時の安全性を高める。
【００１３】
【実施の形態】
次に本発明の実施形態について説明する。図１及び図２は、本発明の第一実施形態を示したもので、この携帯用電撃装置は、主として野猿などの迷惑鳥獣の撃退や、痴漢撃退用として使用することを目的としたもので、全体をピストルタイプ或いはライフルタイプの携帯可能形状に形成し、水鉄砲部１と、電圧印加部２とで構成される。
【００１４】
水鉄砲部１は、電気的に絶縁した二組の独立系統を備え、且つ同時動作するもので、噴射ノズル１１ａ，１１ｂと、貯蔵タンク１２ａ，１２ｂと、ノズルとタンクとの連結管路１３ａ，１３ｂと、噴射引き金と連動する開閉弁１４ａ、１４ｂとで構成される。特に噴射ノズル１１の先端部分以外は、電気絶縁材質のもので形成する。
【００１５】
両噴射ノズル１１は、携帯状態で噴射液を狙った方向に噴射できる位置（ピストルやライフルの銃身部分に対応させる）に並設したもので、特に前記二本のノズル１１ａ，１１ｂは、噴射液が二条平行或いは数ｍ先が１０ｃｍ程度の間隔となるような開き角度をもって並設してなり、先端部１１１は、特に導電性部材で形成してなるものである。
【００１６】
貯蔵タンク１２ａ，１２ｂは、蓄圧可能な密閉可能な容器体で、タンク内圧力を高めるための手動空気ポンプ１２１を付設してなる。なお噴射液Ａは、食塩水などの導電性液体で、貯蔵タンク１２には、適宜な供給口を設けておく。
【００１７】
連結管路１３ａ，１３ｂは、各貯蔵タンク１２ａ，１２ｂ内と各噴射ノズル１１ａ，１１ｂとを連結接続するもので、管路途中に開閉弁１４ａ，１４ｂを介装してなる。
【００１８】
開閉弁１４ａ，１４ｂは、引き金機能を備えた操作部１４１によって同時に開放動作されるものであり、開放時間所定のタイマーによって閉塞するようにしたり、或いは一定量の液体放射で自動的に閉塞するようにする等、連続放射をある程度制限する機構を組み込んだ方が良い。
【００１９】
電圧印加部２は、乾電池などの小型電源と、高圧発生回路を備え、両噴射ノズル先端部１１１に接続して、両先端部間に高電圧が印加されるようにしてなる。また前記の操作部と高電圧印加が同期するように、操作部１４１を電圧印加部２のスイッチとして作用させる。
【００２０】
而して前記撃退装置のタンクに、所定の噴射液Ａを充填し、且つ所定の圧力を加え、所定の電源を組み込んで携帯し、被害発生箇所を巡回する。巡回中に排除対象（野猿Ｂ）が存在した場合には、噴射ノズル１１ａ，１１ｂを野猿Ｂに向け、操作部１４を動作すると（引き金を引くと）、噴射液Ａが猿Ｂに向けて噴射される。噴射液Ａが猿Ｂに接触すると同時に、二条の噴射液間の高電圧ショートで、猿Ａは電撃ショックを受けるものである。
【００２１】
従って前記撃退装置を携帯して、猿害の発生する観光地を巡回し、迷惑猿に電撃ショックを与えることで野猿を撃退し、猿害から観光客を保護するものである。
【００２２】
また猿は巡回者が存在すると、電撃ショックを受けることを学習して、巡回者がいるエリア（観光エリア）に近づくことがなくなり、猿害を抑止できるものである。
【００２３】
勿論前記構成の器具を痴漢撃退用として使用しても良いが、その場合には、携帯が容易になる様に小型化する必要がある。
【００２４】
図３は、本発明の第二実施形態で、主として微生物や植物に対する電気刺激を与えることを目的として使用するものである。その基本構成は前記第一実施形態と同様に水鉄砲部１Ａと、電圧印加部２Ａとで構成される。
【００２５】
水鉄砲部１Ａは、噴射ノズル１１ｃと、貯蔵タンク１２ｃと、手動ポンプ１５とで構成される。特に噴射ノズル１１の先端部分以外は、電気絶縁材質のもので形成する。
【００２６】
噴射ノズル１１ｃは、先端部１１１ｃが、特に導電性部材で形成してなるものである。
【００２７】
貯蔵タンク１２ｃは、所定の噴射液Ａを貯留するもので、手動ポンプ１５の吸引管１５１と連結されている。また手動ポンプ１５は、ピストン型で、噴射ノズル１１ｃと連結されて噴射ノズル１１ｃから噴射液Ａが噴射されるようにしたものであり、特にピストン操作部１５２には、スイッチを設け、操作時に電圧印加部２Ａがオン状態となるようにする。
【００２８】
電圧印加部２Ａは、前記第一実施形態と同様に乾電池などの小型電源と、高圧発生回路（使用目的に応じた電圧）を備え、一方の出力端子からは噴射ノズル先端部１１１ｃに接続し、他方出力端子には、アース部２１を設けてなる。
【００２９】
而して前記撃退装置のタンクに、所定の噴射液Ａを充填し、電気刺激を与えようとする箇所で、アース部２１をアースし、刺激付与対象に対して噴射ノズル１１ｃを向けて、手動ポンプ１５を動作させると、噴射液Ａが対象物に向けて噴射される。噴射液Ａが対象物に接触すると同時に、アースとの間で通電することになり、所定の電気刺激を与えることになる。
【００３０】
また前記第二実施形態のアース方式は、使用者の安全対策が充分であれば、鳥獣撃退用としてしても使用できることは当然である。
【００３１】
また本発明は、前記各実施形態に限定されるものではなく、噴射液の噴射機構（水鉄砲部）は、手動タイプとせずに動力的に動作する機構を採用しても良いし、その場合には蓄圧式や直圧式のいずれでも良いし、また圧力印加と同期して高電圧を発生させるようにしても良い。
【００３２】
【発明の効果】
以上のように本発明は、導電性液体の噴射を行う水鉄砲部と、噴射液体に所定の電圧を印加する電圧印加部とを備えてなる携帯用電撃装置で、使用目的に応じて、印加電圧を高電圧として鳥獣撃退用や痴漢撃退用として使用することができるもので、前記装置を携帯しての巡回中に、野猿などの撃退対象を発見した際に、撃退対象に対して噴射ノズルから導電性液体を噴射命中させると、撃退対象に電撃を与えることになり、野猿等を殺傷することなく撃退できるものである。
【図面の簡単な説明】
【図１】本発明の第一実施形態の使用状態の説明図。
【図２】同装置構成説明図。
【図３】同第二実施形態の装置構成説明図。
【符号の説明】
１，１Ａ　　　　　　　　　水鉄砲部
１１ａ，１１ｂ，１１ｃ　　噴射ノズル
１１１，１１１ｃ　　　　　先端部
１２ａ，１２ｂ，１２ｃ　　貯蔵タンク
１３ａ，１３ｂ　　　　　　連結管路
１４ａ，１４ｂ　　　　　　開閉弁
１４１　　　　　　　　　　操作部
１５　　　　　　　　　　　手動ポンプ
１５１　　　　　　　　　　吸引管
１５２　　　　　　　　　　ピストン操作部
２，２Ａ　　　　　　　　　電圧印加部
２１　　　　　　　　　　　アース部
【図１】
2004073111.tif 000003
【図２】
2004073111.tif 000004
【図３】
2004073111.tif 000005